(57)【要約】  光伝搬のキャビティ軸を規定するキャビティと、少なくとも２つの光学素子であって、これらそれぞれの光軸を有し、上記キャビティ軸に沿って位置合わせされ、光学素子の光軸が上記キャビティ軸と一致する、少なくとも２つの光学素子と、少なくとも２つの光学素子の少なくとも１つに関連付けられた位置決ユニットと、を備える。位置決ユニットは、キャビティ軸回りで少なくとも１つの上記光学素子の制御可能な軸回転をもたらすように構成されかつ動作可能とされ、これにより、上記キャビティ軸に関する光学素子の位置合わせされた位置を維持しながら、少なくとも１つの他の光学素子に対する少なくとも１つの上記光学素子における方向付けの制御可能な精密な調整を可能とする。
2011523084.tif 000002
【特許請求の範囲】
【請求項１】
光伝搬のキャビティ軸を規定するキャビティと、
少なくとも２つの光学素子であって、当該光学素子それぞれの光軸を有し、前記キャビティ軸に沿って位置合わせされ、当該光学素子の前記光軸が前記キャビティ軸と一致する、少なくとも２つの光学素子と、
少なくとも２つの前記光学素子の少なくとも１つと関連付けられ、前記キャビティ軸回りで少なくとも１つの前記光学素子の制御可能な軸回転をもたらすように構成されかつ動作可能である位置決ユニットであって、これにより、前記キャビティ軸に関する前記光学素子の位置合わせされた位置を維持しながら、少なくとも１つの他の光学素子に対する少なくとも１つの前記光学素子における方向付けの制御可能な精密な調整を可能とする、位置決ユニットと、
を備えることを特徴とする光学デバイス。
【請求項２】
少なくとも２つの前記光学素子が、結晶であることを特徴とする請求項１に記載の光学デバイス。
【請求項３】
少なくとも１つの前記他の光学素子の位置が、前記キャビティ内に固定されていることを特徴とする請求項１または２に記載の光学デバイス。
【請求項４】
少なくとも１つの回転可能な前記光学素子が、前記キャビティ軸に沿う移動を防止されていることを特徴とする請求項１から３のいずれか１項に記載の光学デバイス。
【請求項５】
少なくとも１つの回転可能な前記光学素子が、前記キャビティ軸に対して傾くことを防止されていることを特徴とする請求項１から４のいずれか１項に記載の光学デバイス。
【請求項６】
少なくとも１つの回転可能な前記光学素子が、回転可能な支持体に固定されていることを特徴とする請求項１から５のいずれか１項に記載の光学デバイス。
【請求項７】
前記光学素子それぞれが、当該光学素子自体の支持体において当該支持体に対する固定位置に取り付けられており、
少なくとも１つの前記光学素子の前記支持体が、前記キャビティ軸回りの軸回転のために取り付けられていることを特徴とする請求項１から５のいずれか１項に記載の光学デバイス。
【請求項８】
前記位置決ユニットが、細長い素子を備え、
前記細長い素子が、当該細長い素子の先端部が回転可能な前記支持体から離間する当該細長い素子の後退した非動作位置から、前記先端部が回転可能な前記支持体と接触して回転するために前記支持体を押圧する当該細長い素子の引き出し位置までの、往復運動のために取り付けられていることを特徴とする請求項６または７に記載の光学デバイス。
【請求項９】
ポッケルスセルとして構成されかつ動作可能であることを特徴とする請求項１から８のいずれか１項に記載の光学デバイス。
【請求項１０】
請求項１から９のいずれか１項に記載の光学デバイスと、
前記光学デバイスからの出力光を受け、出力光を示すデータを生成する光検出ユニットであって、これにより、得られる前記光学デバイスの所望の出力にしたがって、前記キャビティ軸回りの少なくとも１つの前記光学素子の軸回転を制御することを可能とする、光検出ユニットと、
を備えることを特徴とするシステム。
【請求項１１】
光伝搬のキャビティ軸を規定するキャビティと、
少なくとも２つの光学素子であって、当該光学素子それぞれの光軸を有し、前記キャビティ軸に沿って位置合わせされ、当該光学素子の前記光軸が前記キャビティ軸と一致する、少なくとも２つの光学素子と、
少なくとも２つの前記光学素子の少なくとも１つと関連付けられ、前記キャビティ軸回りで少なくとも１つの前記光学素子の制御可能な軸回転をもたらすように構成されかつ動作可能である位置決ユニットであって、これにより、前記キャビティ軸に関する前記光学素子の位置合わせされた位置を維持しながら、少なくとも１つの他の光学素子の位置に対する少なくとも１つの前記光学素子における位置の制御可能な精密な調整を可能とする、位置決ユニットと、
を備える光学デバイスと、
前記光学デバイスからの出力光を受け、出力光を示すデータを生成する光検出ユニットであって、これにより、得られる前記光学デバイスにおける光の所望の出力にしたがって、前記キャビティ軸回りの少なくとも１つの前記光学素子の角度位置を制御することを可能とする、光検出ユニットと、
を備えることを特徴とするシステム。
【発明の詳細な説明】
【技術分野】
【０００１】
本発明は、光学素子の位置を制御可能に調整するための位置決め機構に関する。
本発明は、特に、二結晶ポッケルスセル(dual-crystal Pockels cell)の結晶の位置を調整することに有用である。
【背景技術】
【０００２】
レーザ光のビームをスイッチング、変調及び増幅するように設計された光学システムは、しばしば電気光学材料を利用する。レーザまたは他の光学システムにおいて、電気光学材料は、しばしばポッケルス電気光学効果に基づいたポッケルスセルとして構成されており、このポッケルス電気光学効果では、常光線及び異常光線双方の屈折率がかけた電界を受けて変化する。ポッケルス効果は、ルビジウムチタニル燐酸塩（ＲＴＰ）、ルビジウムチタニル砒酸塩（ＲＴＡ）、カリウムチタニル燐酸塩（ＫＴＰ）、ニオブ酸リチウム（ＬＮ）、タンタル酸リチウム（ＬＴ）及び他の材料のような対称中心を有さない材料で発生する。
【０００３】
ポッケルスセルは、さまざまな科学的及び技術的用途で実施されている。偏光子と組み合わされたポッケルスセルは、さまざまな用途で使用されており、特に、光スイッチング及び／または光変調を制御するために使用されている。このような用途において、電気光学結晶の偏光方向は、ポッケルスセルにかけた電界の変化にしたがって変化し、その結果、偏光子を通過する光量を変化し、かつシャッター／モジュレータを形成する。電気光学材料への外部電界を印加するか停止することによって、０°の光学回転と９０°の光学回転との間で切り替えることができ、このシャッターは、数ナノ秒の高速で光を「開く」及び「閉じる」ことができる。同一の方法は、０°と９０°との間の偏光回転によってビーム変調するために使用されており、この場合において、ビームは、偏光子を通してみると、強度が変調された信号を示す。
【０００４】
ポッケルスセルをレーザ増幅器として使用する他の用途において、再生増幅器のキャビティにあるレーザ媒質は、ポンプされて媒体内に過剰な励起原子を形成する。そして、ポッケルスセルは、発振光がキャビティの外に出ることを防止することによって、利得媒体の増幅として使用される。ポッケルスセルを切り替えると、キャビティ内の光は、キャビティから外に放射され、このようにして、高速な高エネルギーパルスを形成する。この設定は、Ｑスイッチング、チャープパルス増幅器及びキャビティダンピングのようなさまざまな用途で使用される。また、ポッケルスセルは、量子鍵配送及び電気光学プローブで使用されることがある。
【０００５】
追加の温度安定化デバイスを有さない温度補償型ポッケルスセルは、２つの同一な結晶を用いることに基づいている。非線形光学材料の電気光学特性が温度に依存しないことが知られており、安定したかつ信頼性のあるポッケルスセルの動作を実現するためには、使用される非線形材料の温度を安定させなければならない。２つの結晶を使用することにより、温度安定化ユニットを用いることなくポッケルスセルの安定した性能を可能とする。光の伝搬は、（結晶切断面に応じて）双方が複屈折を示すＸかＹ軸に沿う。２つの結晶は、第２（または第１）結晶が第１（または第２）結晶に関して９０°で方向付けられるように、直列に配置されている。この配置において、温度によって引き起こされた第１結晶の複屈折における変化は、他の結晶によって打ち消されまたは補償され、ポッケルスセル全体が温度の影響を受けないように維持する。完全な一致を達成するため、結晶双方は、同一寸法を有するべきである。また、材料特性は、ポッケルスセルの高コントラスト比を得るために、結晶双方に対して同様であるべきである。さらに、−６０℃から＋１２０℃までの幅広い温度範囲にわたってポッケルスセルの安定した信頼性のある動作を提供するために、結晶特性と機械的取り付けとの間の一致を必要とする。２つの結晶は、同一の導電ベースに取り付けられ、上側の電極は、結晶双方が常に同一電位を有するように互いに配線されている。一般的には、結晶双方は、結晶間の一致が最良となりかつ最高のコントラスト比が達成されるように、ホルダに接着されている。いったん結晶を取り付けると、消費者のシステムにおける動作中に必要なさらなる最適化の可能性がなくなる。
【０００６】
熱補償型設計に基づいたポッケルスセルは、さまざまな用途で使用され、パルスは、ピコ秒からミリ秒の範囲で変化する。フェムト秒範囲のパルスでポッケルスセルを動作している間に、メインパルス近傍における同一のフェムト秒範囲の継続期間のサイドバンドパルスを観測することが観測されている。一般的には、長いパルスについて、これらフェムト秒のサイドバンドは、観測されず、このため、このサイドバンドは、メインパルスに無視可能な影響を有する一方、フェムト秒のメインパルスについて、サイドバンドパルスは、メインパルスの強度を低減させる。２つの結晶間のオフセット角におけるわずかな変化（すなわち９０°よりわずかに上または下）がサイドバンドパルスを低減させるまたは消滅させることが観測されている。接着によって２つの結晶を取り付ける習慣的な共通の技術は、フェムト秒範囲のパルスに対する必要な最適化をもたらさず、より精密な調整を必要とする。
【０００７】
特許文献１は、二結晶ポッケルスセルを用いたレーザ増幅のための方法及びシステムを開示している。このシステムにおいて、ポッケルスセルは、他方の結晶に対する一方の結晶の回転方向の調整を可能とするように構成されている。ポッケルスセルにおける一方または双方の結晶の回転方向は、レーザパルスのサイドバンドを制御するように調整される。
【先行技術文献】
【特許文献】
【０００８】
【特許文献１】米国特許出願公開第２００７／０２３６７７１号明細書
【発明の概要】
【発明が解決しようとする課題】
【０００９】
従来技術には、光学システムを通過する光伝搬の光軸に関する光学素子の方向付けを容易にする必要性があるが、特に、共通のキャビティ内における結晶素子の方向付けを調整することに限定されない。
【００１０】
本発明は、システムにおける光学素子の回転方向付けを精密に調整するための新規な方法及びシステムを提供する。この技術は、一方の結晶の方向付けを他方に関して及びポッケルスセルの光伝搬軸に関して精密に調整するために使用される。
【課題を解決するための手段】
【００１１】
本発明の１つの広範な態様では、光学デバイスが提供されており、この光学デバイスは、光伝搬のキャビティ軸を規定するキャビティと、少なくとも２つの光学素子であって、当該光学素子それぞれの光軸を有し、上記キャビティ軸に沿って位置合わせされ、当該光学素子の光軸が上記キャビティ軸と一致する、少なくとも２つの光学素子と、少なくとも１つの上記光学素子と関連付けられ、キャビティ軸回りで少なくとも１つの上記光学素子の制御可能な軸回転をもたらすように構成されかつ動作可能である位置決ユニットであって、これにより、上記キャビティ軸に関する光学素子の位置合わせされた位置を維持しながら、少なくとも１つの他の光学素子の位置に対する少なくとも１つの上記光学素子における位置の制御可能な精密な調整を可能とする、位置決ユニットと、を備える。
【００１２】
光学素子は、結晶であってもよい。デバイスは、ポッケルスセルとして構成されかつ動作可能とされてもよい。
【００１３】
本発明のいくつかの形態において、少なくとも１つの他の光学素子の位置は、キャビティ内に固定されてもよい。
【００１４】
好ましくは、少なくとも１つの回転可能な光学素子は、キャビティ軸に沿うまたはキャビティ軸を横断する運動並びに上記キャビティ軸に対して傾くことが防止されている。
【００１５】
本発明の好ましい形態において、回転可能な光学素子は、回転可能な支持体に固定されている。一般的に、光学素子それぞれは、それ自体の支持体において支持体に対する固定位置に固定されており、少なくとも１つの光学素子の支持体は、キャビティ軸回りの軸回転のために取り付けられている。
【００１６】
本発明のいくつかの形態において、位置決ユニットは、細長い素子を備えており、この素子は、その先端部が上記回転可能な支持体から離間する後退した非動作位置から、先端部が上記回転可能な支持体と接触して回転するために支持体を押圧するその引き出し位置まで、往復運動するために取り付けられている。
【００１７】
本発明の別の広範な態様では、上述した光学デバイスを備えかつ光検出ユニットを備えるシステムが提供される。光検出ユニットは、光学デバイスからの光出力を受けてそれを示すデータ（例えば出力光の経時プロフィル）を生成する。出力光は、回転可能な光学素子の角度位置を操作している間に制御されており、そして、上記素子の最適な位置は、得られる所望の光出力にしたがって固定される。
【００１８】
本発明を二結晶ポッケルスセルに適用した例において、２つの結晶は、別個のホルダ（支持体）に取り付けられており、このホルダは、１つの取付具（ハウジング）に組み込まれる一方で、結晶を有する１つのホルダは、調整される可能性がないように取付具に取り付けられ、結晶を有する他のホルダは、同様に結晶軸である光の伝搬軸回りで回転するために取り付けられている。今度は、取付具は、光学デバイス（フレーム）に組み込まれ、この光学デバイスは、（例えばサイドバンドパルスを減少させるまたは完全に打ち消すために）最終的な回転調整のためにエンドユーザのシステムに取り付けられる。上記回転調整をするために、システムは、特有の回転機構を有する位置決ユニットを有しており、この回転機構は、メイン及びサイドバンドパルス双方を顕微鏡によって観測しながら、非常に小さい回転角度について、結晶を有する一方の支持体を他方の支持体に対して回転することを可能とする。一方の結晶を有する調整可能な支持体は、サイドバンドパルスを最小限まで低減するまたは打ち消す位置で安定化され、位置は、さらなる動作のために「保存」される。
【００１９】
本発明を理解しかつ実際にどのように実施されるかを示すため、非限定的な実施例としてのみ、添付の図面を参照しながら実施形態を説明する。
【図面の簡単な説明】
【００２０】
【図１Ａ】ポッケルスセル中の結晶の相対的な方向付けの基礎をなす原理を示す図である。
【図１Ｂ】ポッケルスセルにおいて使用するのに適した本発明の光学システムを示すブロック図である。
【図２Ａ】図１Ｂのシステムにおいて使用するのに適した光学デバイスの実施例を示す斜視図である。
【図２Ｂ】同じく、図１Ｂのシステムにおいて使用するのに適した光学デバイスの実施例を示す斜視図である。
【図３Ａ】図２Ａ及び図２Ｂのデバイスにおいて使用される光学素子のための支持体を示す具体的な図である。
【図３Ｂ】同じく、図２Ａ及び図２Ｂのデバイスにおいて使用される光学素子のための支持体を示す具体的な図である。
【図４】図２Ａ及び図２Ｂのデバイスにおいて使用される位置決ユニットの実施例を示す図である。
【図５】図２Ａ及び図２Ｂのデバイスを組み合わせた斜視図である。
【発明を実施するための形態】
【００２１】
本発明は、光学システムにおける光学素子の位置を精密に調整するための新規な方法及び装置を提供する。上記調整は、システムを通って伝搬する光の光軸回りで上記光学素子の少なくとも一方を精密に軸方向回転調整することを含む。本発明は、超高速レーザパルスのスイッチングに使用される二結晶ポッケルスセルに特に有用である。これら場合において、このような調整は、レーザパルスシステムにおけるサイドバンドパルスを消滅させるまたは少なくとも十分に低減する。
【００２２】
図１Ａは、キャビティを通過する伝搬光の光軸ＣＡを有する光学キャビティ２０を示しており、２つの光学素子１０及び１０’を有する。光学素子は、上記光軸ＣＡに沿って離間した関係で配置されており、上記光軸は、光学素子それぞれを通過する。さまざまな用途は、相互に関してかつ／または光伝搬軸に関して、光学素子の精密な位置合わせ（調整）を必要とする。例えば、二結晶温度補償型ポッケルスセルを考慮すると、このポッケルスセルは、２つの同一の電気光学結晶１０及び１０’によって形成されており、この電気光学結晶は、結晶それぞれを通過する光軸ＣＡに沿って位置合わせされている。結晶は、結晶軸が光軸ＣＡとほぼ一致するようにキャビティ内で方向付けられている。技術的に知られている横効果(transverse effect)に基づいた温度補償は、結晶双方を通過する光伝搬の光軸ＣＡ回りにおいて他の結晶に対して一方の結晶を角度変位Ｗ（通常約９０°）した状態で、２つの結晶を配置することによって達成される。このような角度変位は、図１Ａに示されており、この図は、第２結晶１０’のＸ’及びＺ’軸が光軸ＣＡ回りで変位角Ｗだけ第１結晶１０のＸ及びＺ軸に対して角度的に変位していることを示している。第１結晶の温度に依存しない複屈折の影響は、第１結晶に関して光軸ＣＡ回りで角度Ｗだけ回転された第２結晶１０’で発生する同様の熱的効果によって補償される。このため、（図１Ａに示されるような）ポッケルスセルがパルスレーザで動作される場合において、メインパルスに付随して発生するサイドバンドパルスは、通常観測される。これらサイドバンドパルスの低減または消滅は、回転角Ｗのわずかな変更によって達成される。
【００２３】
光学システムのブロックダイアグラムを示す図１Ｂを参照すると、この光学システムは、全体的に符号１００が付されており、本発明にしたがって構成されかつ動作可能となっている。理解を容易にするために、同一の参照符号は、本明細書で参照するすべての図面で共通する構成部材を識別するために使用される。システム１００は、光伝搬軸ＣＡを画定するキャビティ２０を有する光学デバイス１０２と、光軸Ｙ及びＹ’を有する２つの光学素子１０及び１０’（例えば電気光学結晶）と、を有する。また、システム１００には、制御ユニット３０が設けられており、この制御ユニットは、光学デバイス１０２に組み込まれかつ一方の光学素子、本実施例では素子１０’と関連付けられた位置決ユニット３１と、光学デバイス１０２の一部であってもなくてもよい光検出ユニット３３と、を有する。
【００２４】
留意すべきことは、素子の少なくとも１つの位置を他の少なくとも１つに関して調整できる場合に、システムが２を超える光学素子を有してもよいことである。
【００２５】
光学素子１０及び１０’の配置は、光学素子の光軸Ｙ及びＹ’がキャビティ軸ＣＡと一致するようになっている。理解すべきことは、結晶について述べると、軸Ｙ（またはＹ’）が結晶軸を構成することである。本発明におけるシステムは、素子の光軸とキャビティ軸との間の必要な位置合わせ（一致）を維持しながら、他の光学素子に関してかつ／またはキャビティ軸に関して少なくとも１つの光学素子の位置を再度調整可能とする。このため、位置決ユニット３１は、キャビティ軸ＣＡ回りで所定角だけ光学素子１０’を回転することができるように構成されかつ動作されている。理解すべきことは、具体的には示さないが、他の光学素子１０が同様にこの光学素子の方向付けを制御可能に調整するために取り付けられてもよいような構造とされていることである。位置決ユニット３１は、適切な機械的組立体（ここでは図示略）を備えており、この組立体は、光学素子それぞれに直接または光学素子支持体を介して接続可能であり、上記光学素子の回転調整を実行して光学素子の所望の方向付けを提供する。機械的組立体は、好ましくは、上記光学素子の他の運動を防止するように構成されている。また、機械的組立体は、好ましくは、素子１０’の回転運動を制限する。
【００２６】
以下は、光学デバイス１０２を実施する実施例であり、位置決ユニット３１をより具体的に示している。
【００２７】
図２Ａ及び図２Ｂは、光学デバイスを示す２つの正反対な斜視図である。デバイスは、光入力／出力開口部３２Ａ及び３２Ｂが形成された前面１１０Ａ及び後面１１０Ｂを有する中空ハウジング１１０を有する。このため、このようなハウジングは、光を伝搬させるためのキャビティ２０を画定する。キャビティ２０は、２つのほぼシリンダ状のキャビティ部分２０Ａ及び２０Ｂを有し、このキャビティ部分は、共通の対称軸ＣＡに沿って配置されており、これらそれぞれの支持体に２つの光学素子を適合させるための２つの部位それぞれを画定する。キャビティ部分２０Ａは、システムの動作中に回転される／移動される必要のない光学素子を収容することを目的とする一方で、キャビティ部分２０Ｂは、制御可能に回転可能である光学素子をキャビティ部分２０Ｂ内に収容するように構成されている。また、キャビティ２０は、軸ＣＡ回りの回転以外に回転可能な光学素子の移動を防止するように構成されている。本実施例において、この目的は、第２キャビティ部分２０Ｂの半径を第１キャビティ部分２０Ａの半径よりもいくらか大きくし、かつキャビティ部分２０Ｂの反対側に別の障壁部２０Ｃを設けることによって、達成される。この障壁部２０Ｃは、開口部３２Ｂの少なくとも一部を囲むように面１１０Ｂの内面から突出するリング状の形態をなしている。このため、支持素子は、キャビティ部分２０Ｂ内に配置されかつキャビティ部分２０Ｂに囲まれると、キャビティ軸に沿って長手方向に移動することから防止される。
【００２８】
このため、第１キャビティ部分２０Ａは、（図３Ａで符号１１２Ａとして示す）静止した（回転しない）支持体を支持するように構成されており、この支持体は、上記キャビティ部分にほぼ固定されている。第２キャビティ部分２０Ｂは、（図３Ｂで符号１１２Ｂとして示す）回転可能な（シリンダ状の）支持体を支持するように構成されている。支持体１１２Ｂは、半円柱状をなしており、キャビティ部分２０Ｂの寸法と同様の寸法を有し、これにより、上記キャビティ部分内に正確に嵌まり込む。
【００２９】
位置決ユニット３１は、角度調整機構を有しており、この機構は、支持素子１１２Ｂを押圧してその対称軸（上記素子の光軸または結晶の場合において結晶軸で構成されており、キャビティ軸ＣＡと一致する）回りで回転させるように構成されている。
【００３０】
図４で例示されるように、この回転は、好ましくは支持素子の回転軸の垂直軸に沿って支持素子１１２Ｂに関して往復運動するために取り付けられた細長い素子４０と、支持素子１１２Ｂの下方に配置されたバネ４２と、を有する組立体によって実施される。支持体１１２Ｂに向かう素子４０のこのような運動により、素子４０は、素子の先端部４０Ａによって、回転可能な支持体１１２Ｂと接触し、バネの伸張に抗して回転するためにこの支持体を押圧する。バネは、キャビティ部分２０Ｂに形成された適切な溝部２１に配置されている。バネ４２は、回転可能な支持体にトルクをかける保持機構を呈しており、回転可能な支持体をピン４０に向けて「押圧する」。
【００３１】
図５により具体的に示すように、細長い素子４０は、ボルトの形態をなしており、キャビティ部分２０Ｂの上方の適切な位置においてハウジングに形成された穴部４４に取り付けられている（螺着されている）。ボルト４０の先端部４０Ａは、回転可能支持体１１２Ｂと接触する。
【００３２】
図１Ｂに戻ると、結晶素子１０’の回転中において、システムからの光出力の経時プロフィルは、検出ユニット３３で検出され、（サイドバンドパルスがないまたは低減された）所望のプロファイルを識別するまで、回転する結晶の対応する角度位置は、固定されている。これは、例えば固定ブラケット１１８とブラケットを固定するボルト−ナット組立体（図示略）であって例えば適切な穴部１１９を用いてハウジングに取付可能なボルト−ナット組立体とを用いて、支持体１１２Ｂに対するボルト４０の位置を固定することによって行われる。
【００３３】
理解すべきことは、本明細書では具体的に説明しないが、システムが電気光学素子１０及び１０’を利用する場合において、電極の関連する電子機器との電極の配置がハウジングに適切に取り付けられていることである。
【００３４】
このため、システム１００は、以下のように動作する、すなわち、支持体１１２Ａに固定された光学素子１０を支持する第１の固定支持体１１２Ａは、キャビティ部分２０Ａの内側に固定されており、回転可能な支持体に取り付けられた光学素子１０’を有する第２の回転可能な支持体は、キャビティ部分２０Ｂの内側に取り付けられており、素子の光軸Ｙ及びＹ’は、キャビティ軸ＣＡと一致する。ボルト４０は、支持体１１２Ｂに向けて移動して支持体の回転を引き起こし、これにより、キャビティ軸ＣＡ回りの光学素子１０’の軸回転を引き起こす。したがって、光出力プロファイルは、検出される。所望のプロファイルが観測されると、光学素子１０’の対応する角度位置は、固定ブラケット１１８を用いて支持体１１２Ｂの位置を固定することによって、固定する。このため、システム１００は、最適な方向付け状態とされる。
【００３５】
当業者は、添付の特許請求の範囲でかつ特許請求の範囲によって規定された本発明の範囲から逸脱することなく、さまざまな改良及び変更を上述した本発明の実施形態に適用できることを理解するだろう。
【符号の説明】
【００３６】
１０，１０’  結晶，光学素子，電気光学結晶，電気光学素子、２０  キャビティ，光学キャビティ、３１  位置決ユニット、３３  検出ユニット，光検出ユニット、４０  ピン，ボルト，細長い素子、１００  システム、１０２  光学デバイス、１１２Ａ  固定支持体，第１の支持体、１１２Ｂ  回転可能支持体，支持素子，第２の支持体、ＣＡ  キャビティ軸，光伝搬軸，対称軸，光軸，軸
【図１Ａ】
2011523084.tif 000003
【図１Ｂ】
2011523084.tif 000004
【図２Ａ】
2011523084.tif 000005
【図２Ｂ】
2011523084.tif 000006
【図３Ａ】
2011523084.tif 000007
【図３Ｂ】
2011523084.tif 000008
【図４】
2011523084.tif 000009
【図５】
2011523084.tif 000010
【国際調査報告】
2011523084.tif 000011
2011523084.tif 000012